(57)【特許請求の範囲】
【請求項１】
電源から負荷へ電力を供給する回路に接続された電気要素による当該回路の電気的切断を迂回するように前記回路に接続されて当該回路の一部を形成する継電器と、
前記負荷への通電が制御されるように、前記継電器を操作する制御信号を生成するコントローラと、
を有する
回路の前記電気要素としてのスイッチの操作によって変化する前記回路の電気的変化を検出する検出部を更に有し、前記検出部は、前記回路を電気的に切断するように当該回路に挿入され、
前記継電器は前記スイッチおよび前記検出部のうち、少なくとも一方を迂回するように前記回路に接続されて、
前記コントローラは、前記検出部の検出信号を利用して前記制御信号を生成する、
ことを特徴とするコントロール装置。
【請求項２】
前記継電器は、前記スイッチおよび検出部を迂回するように前記回路に接続される、ことを特徴とする請求項１に記載のコントロール装置。
【請求項３】
前記回路は、前記スイッチとして単極単投スイッチを含み、
前記単極単投スイッチの一方の端子には、前記回路の第１の配線および前記継電器の一端が接続され、
当該スイッチの他方の端子には、前記検出部の一端が接続され、
前記継電器の他端および前記検出部の他端は、前記回路の第２の配線に接続される、ことを特徴とする請求項２に記載のコントロール装置。
【請求項４】
前記回路は、前記スイッチとして３路スイッチを含み、
前記継電器は、第１および第２の継電器を含み、
前記３路スイッチの端子１には、前記回路の第１の配線および前記第１の継電器の一端が接続され、
前記３路スイッチの端子３には、前記回路の第２の配線および前記第２の継電器の一端が接続され、
前記３路スイッチの端子０には、前記検出部の一端が接続され、
前記第１および前記第２の継電器の他端と前記検出部の他端は、前記回路の第３の配線に共通に接続される、ことを特徴とする請求項２に記載のコントロール装置。
【請求項５】
前記回路は、前記スイッチとして３路スイッチを含み、
前記継電器は、第１および第２の継電器を含み、
前記３路スイッチの端子１には、前記回路の第１の配線および前記第１の継電器の一端が接続され、
前記３路スイッチの端子３には、前記回路の第２の配線および前記第１の継電器の他端が接続され、
前記３路スイッチの端子０には、前記検出部の一端と前記第２の継電器の一端が接続され、
前記検出部の他端と前記第２の継電器の他端は、前記回路の第３の配線に共通に接続される、ことを特徴とする請求項２に記載のコントロール装置。
【請求項６】
前記回路は、前記スイッチとして３路スイッチを含み、
前記継電器は、第１および第２の継電器を含み、
前記３路スイッチの端子１には、前回路の第１の配線および前記第１および前記第２の継電器の一端が接続され、
前記３路スイッチの端子３には、前記回路の第２の配線および前記第１の継電器の他端が接続され、
前記３路スイッチの端子０には、前記検出部の一端が接続され、
前記検出部の他端と前記第２の継電器の他端は、前記回路の第３の配線に共通に接続される、ことを特徴とする請求項２に記載のコントロール装置。
【請求項７】
前記コントローラは、前記検出部の検出信号以外の信号を利用して、前記制御信号を発生する、請求項１ないし６のいずれかに記載のコントロール装置。
【請求項８】
前記電気要素は、第１および第２の３路スイッチを含み、
前記継電器は、前記第１の３路スイッチの端子１又は端子３と、前記第２の３路スイッチの端子１又は３との間を結ぶ２本の配線の間に電気的に接続される、ことを特徴とする請求項１に記載のコントロール装置。
【請求項９】
前記コントローラの制御に利用する信号を与えるスイッチをさらに有することを特徴とする請求項７に記載のコントロール装置。
【請求項１０】
電源から負荷へ電力を供給する回路に適用されて前記負荷への通電制御を実行するスイッチ装置であって、
前記回路に接続されるスイッチを有し、
前記スイッチの操作によって変化する前記回路の電気的変化を検出する検出部を有し、前記検出部は、前記回路を電気的に切断するように当該回路に挿入され、
前記スイッチおよび検出部のうち、少なくとも一方を迂回するように前記回路に接続されて当該回路の一部を形成する継電器と、
前記負荷への通電が制御されるように、前記検出部の検出信号を利用して前記継電器を操作する制御信号を生成するコントローラと、
を有することを特徴とするスイッチ装置。
【発明の詳細な説明】
【技術分野】
【０００１】
本発明は、単なるスイッチだけでは実現できない、照明装置や換気扇装置等の負荷の多様な通電制御を簡易に実現するコントロール装置と、これを用いたスイッチ装置、アダプタ装置、ソケット装置および負荷装置に関する。
【背景技術】
【０００２】
たとえば、スイッチの操作により一定時間のみ動作する機能を実現するには、電気的に固定されないモーメンタリースイッチの使用が必要である。単極単投、３路、４路スイッチも含めて、夫々本来のスイッチング動作以外の機能を付加することは電気的、構造的に困難だからである。【０００３】
照明や換気扇等の負荷に対する高機能制御としては、一定時間動作又は遅れ停止機能が知られている。その一方で、周期動作コントロール、センサによる動作コントロール、パワーコントロール、連続動作コントロールなど、のさらなる高機能制御へのニーズも存在する。【０００４】
一般的に、上記のような高機能制御を付与するには、既存の通電設備を利用したのでは実現が難しく、通電設備の根本的な変更工事が必要となり、コストも高くなる。
【先行技術文献】
【特許文献】
【０００５】
【特許文献１】特開平０７−２４０１２７号公報
【非特許文献】
【０００６】
【非特許文献１】パナソニック電工の商品カタログ（記載の商品、ＷＮ５２７５、ＷＮ５２７６、ＷＮ５２９４、ＷＴＣ５３８３Ｗ。）
【発明の概要】
【発明が解決しようとする課題】
【０００７】
本発明の目的の一つは、負荷に接続されたスイッチのみでは実現不可能な、一定時間動作制御、遅れ停止制御、周期動作制御、センサを用いた動作制御、パワー制御、連続動作制御などの多彩な負荷の通電制御を簡易にかつ低コストで実現可能なコントロール装置、および、これを用いたスイッチ装置、アダプタ装置、ソケット装置および負荷装置を提供することにある。
【課題を解決するための手段】
【０００８】
本発明の第１の観点に係るコントロール装置は、電源から負荷へ電力を供給する回路に前記負荷への通電が制御されるように接続される継電器と、
前記継電器を操作する制御信号を生成するコントローラと、
を有することを特徴とする。【０００９】
本発明の第２の観点に係るコントロール装置は、電源から負荷へ電力を供給する回路に前記負荷への通電が制御されるように接続される継電器と、
前記回路に接続されたスイッチの操作によって変化する前記回路の電気的変化を検出する、前記回路に接続される検出部と、
前記検出部の検出信号を利用して、前記継電器を操作する制御信号を生成するコントローラと、
を有することを特徴とする。【００１０】
本発明の第３の観点に係るコントロール装置は、
電源から負荷へ電力を供給する回路に接続された電気要素による当該回路の電気的切断を迂回するように前記回路に接続されて当該回路の一部を形成する継電器と、
前記負荷への通電が制御されるように、前記継電器を操作する制御信号を生成するコントローラと、
を有することを特徴とする。【００１１】
好適には、前記回路に接続されたスイッチの操作によって変化する前記回路の電気的変化を検出する、前記電気要素としての検出部を有し、前記検出部は、前記回路を電気的に切断するように当該回路に挿入され、
前記スイッチおよび検出部のうち、少なくとも一方を迂回するように前記回路に接続されて当該回路の一部を形成する継電器と、
前記コントローラは、前記負荷への通電が制御されるように、前記検出部の検出信号を利用して前記継電器を操作する制御信号を生成する。【００１２】
さらに好適には、前記継電器は、前記スイッチおよび検出部を迂回するように前記回路に接続される。【００１３】
代替的には、前記電気要素は、第１および第２の３路スイッチを含み、
前記継電器は、前記第１の３路スイッチの端子１又は端子３と、前記第２の３路スイッチの端子１又は３との間を結ぶ２本の配線の間に電気的に接続される。【００１４】
本発明の第１の観点に係るスイッチ装置は、電源から負荷へ電力を供給する回路に適用されて前記負荷への通電制御を実行するスイッチ装置であって、
前記回路に接続されるスイッチと、
前記負荷への通電が制御されるように前記回路に接続される継電器と、
前記スイッチの操作によって変化する前記回路の電気的変化を検出する、前記回路に接続される検出部と、
前記検出部の検出信号を利用して、前記継電器を操作する制御信号を生成するコントローラと、
を有することを特徴とする。【００１５】
本発明の第２の観点に係るスイッチ装置は、電源から負荷へ電力を供給する回路に適用されて前記負荷への通電制御を実行するスイッチ装置であって、
前記回路を電気的に切断可能に当該回路に接続されるスイッチを有し、
前記スイッチによる当該回路の電気的切断を迂回するように前記回路に接続されて当該回路の一部を形成する継電器と、
前記負荷への通電が制御されるように、前記継電器を操作する制御信号を生成するコントローラと、
を有することを特徴とする。【００１６】
本発明の第３の観点に係るスイッチ装置は、電源から負荷へ電力を供給する回路に適用されて前記負荷への通電制御を実行するスイッチ装置であって、
前記回路に接続されるスイッチを有し、
前記スイッチの操作によって変化する前記回路の電気的変化を検出する検出部を有し、前記検出部は、前記回路を電気的に切断するように当該回路に挿入され、
前記スイッチおよび検出部のうち、少なくとも一方を迂回するように前記回路に接続されて当該回路の一部を形成する継電器と、
前記負荷への通電が制御されるように、前記検出部の検出信号を利用して前記継電器を操作する制御信号を生成するコントローラと、
を有することを特徴とする。【００１７】
本発明のアダプタ装置は、上記のコントロール装置を有し、
前記回路には、前記負荷が機械的に接続可能であるとともに前記負荷を当該回路に電気的に接続可能なソケットが電気的に接続され、
前記ソケットに機械的に接続されるとともに前記コントロール装置と前記回路とを電気的に接続可能な第１の接続部と、
前記負荷が機械的に接続されるとともに、前記負荷と前記コントロール装置および前記回路とを電気的に接続可能な第２の接続部と、を有する。【００１８】
本発明のソケット装置は、上記のコントロール装置を有し、前記負荷を機械的および電気的に接続可能であるとともに、前記負荷を前記回路に電気的に接続する。【００１９】
本発明の負荷装置は、電源から回路を通じて電力が供給される負荷と、上記のコントロール装置と、を有し、前記負荷と前記コントロール装置とが一体的に形成されている。【００２０】
本発明のコントロールシステムは、電源から負荷へ電力を供給する回路に、前記負荷への通電が制御されるように接続されるとともに互いに並列に接続される第１および第２の継電器と、
前記第１および第２の継電器を操作する制御信号をそれぞれ生成する第１および第２のコントローラと、を有し、
前記第１および第２のコントローラは、前記負荷への通電が制御されるように協働する、ことを特徴とする。
【発明の効果】
【００２１】
本発明によれば、負荷へ電力供給する回路に対する変更は最小限又は不要でありながら、単なるスイッチの開閉だけでは実現不可能な負荷の多彩な通電制御が可能となる。
【図面の簡単な説明】
【００２２】
【図１】本発明のコントロール装置が適用された回路の第１の実施形態を示す図。
【図２】検出部の一例を示す回路図。
【図３】コントローラの機能の一例を示す機能ブロック図。
【図４】コントローラの一例を示す回路図。
【図５】本発明のコントロール装置が適用された回路の第２の実施形態を示す図。
【図６】本発明のコントロール装置が適用された回路の第３の実施形態を示す図。
【図７】本発明のコントロール装置が適用された回路の第４の実施形態を示す図。
【図８】本発明のコントロール装置が適用された回路の第５の実施形態を示す図。
【図９】本発明のコントロール装置が適用された回路の第６の実施形態を示す図。
【図１０】本発明のコントロール装置が適用された回路の第７の実施形態を示す図。
【図１１】本発明のコントロール装置が適用された回路の第８の実施形態を示す図。
【図１２】本発明のコントロール装置が適用された回路の第９の実施形態を示す図。
【図１３】本発明のコントロール装置が適用された回路の第１０の実施形態を示す図。
【図１４】本発明のコントロール装置が適用された回路の第１１の実施形態を示す図。
【図１５】本発明のコントロール装置が適用された回路の第１２の実施形態を示す図。
【図１６】本発明のコントロール装置が適用された回路の第１３の実施形態を示す図。
【図１７】本発明のコントロール装置が適用された回路の第１４の実施形態を示す図。
【図１８】本発明のコントロール装置が適用された回路の第１５の実施形態を示す図。
【図１９】本発明のコントロール装置が適用された回路の第１６の実施形態を示す図。
【図２０】本発明のアダプタ装置の一実施形態を示す図。
【図２０Ｂ】図２０のアダプタ装置の変形例を示す図。
【図２１】本発明のソケット装置の一実施形態を示す図。
【図２２】本発明のソケット装置の他の実施形態を示す図。
【図２３】本発明のアダプタ装置の他の実施形態を示す図。
【図２３Ｂ】図２３の実施形態の変形例を示す図。
【図２４】本発明の負荷装置の一実施形態を示す図。
【図２４Ｂ】図２４の実施形態の変形例を示す図。
【図２５】本発明のコントロール装置に適用可能な操作パネルの例を示す図。
【発明を実施するための形態】
【００２３】
本発明の実施形態について図面を参照しつつ詳細に説明する。
第１の実施形態
図１〜図４を参照して本発明の第１の実施形態を説明する。
本実施形態に係るコントロール装置１が適用される回路３００には、図示しない電源から電力供給を受けるコンセント１００、負荷２００、２つの３路スイッチＳＷ３Ａ，ＳＷ３Ｂ、２つの３路スイッチＳＷ３Ａ，ＳＷ３Ｂの間に設けられた４路スイッチＳＷ４が接続されている。
負荷２００は、たとえば、室内に設置された照明や換気扇である。３路スイッチＳＷ３Ａ，ＳＷ３Ｂ、４路スイッチＳＷ４は、たとえば、室内や廊下に設置された照明や換気扇をオン・オフするための壁スイッチである。なお、これは単なる例示であって、本発明はこれらに限定されるわけではない。
【００２４】
コントロール装置１は、検出部１０と、継電器としての２つのＳＳＲ（Ｓｏｌｉｄ  Ｓｔａｔｅ  Ｒｅｌａｙ）２０Ａ，２０Ｂと、コントローラ３０を有する。なお、本実施形態では、継電器として半導体リレーを使用しているが、電磁リレー等のその他のリレーも使用可能である。
検出部１０は、回路３００に挿入され、回路３００に接続されたスイッチＳＷ３Ａ，ＳＷ３Ｂ，ＳＷ４の操作によって変化する回路３００の電気的変化を検出するために設けられている。すなわち、検出部１０は、スイッチＳＷ３Ａ，ＳＷ３Ｂ，ＳＷ４の操作を検出するために設けられており、重要な点は、３路スイッチＳＷ３Ａだけでなく、スイッチＳＷ３Ｂ，ＳＷ４の操作を検出可能な点である。検出部１０は、後述するように、負荷２００が駆動しない程度の微小電流で動作する回路で構成され、その結果、検出部１０は回路３００を電気的に切断している。すなわち、検出部１０には、負荷２００の駆動電流は流れない。
【００２５】
３路スイッチＳＷ３Ａの端子１には、回路３００の第１の配線３００ａよびＳＳＲ２０Ａの一端が接続され、３路スイッチＳＷ３Ａの端子３には、回路３００の第２の配線３００ｂおよびＳＲ２０Ｂの一端が接続され、３路スイッチＳＷ３Ａの端子０には、検出部１０の一端が接続され、ＳＳＲ２０Ａ，２０Ｂの他端と検出部１０の他端は、回路３００の第３の配線３００ｃに共通に接続されている。ＳＳＲ２０Ａ，２０Ｂは、３路スイッチＳＷ３Ａおよび検出部１０を迂回するように回路３００に接続されている。ＳＳＲ２０Ａ，２０Ｂは、回路３００の電気的切断を迂回している。
【００２６】
検出部１０は、図２に例示するように、第１の検出回路１０Ａと、第２の検出回路１０Ｂを有する。図２において、１１は抵抗、１２はブリッジダイオード、１５，１７はシュミット型のバッファ、１４，１６は可変抵抗、１５はフォトカプラ、１８は電磁リレーを示している。
第１の検出回路１０Ａは、ＳＳＲ２０Ａ，２０Ｂがオフのときのスイッチの操作による比較的大きな電圧の変化（たとえば、０Ｖと１００Ｖの間）を検出し、コントローラ３０の入力１に検出信号を出力する。
第２検出回路１０Ｂ、ＳＳＲ２０Ａ，２０Ｂがオンのときのスイッチの操作による微小な電圧の変化を検出し、コントローラ３０の入力２に検出信号を出力する。第２の検出回路１０Ｂのトランジスタには、ＳＳＲ２０Ａ，２０Ｂがオンされるとコントローラ３０のリレー端子からオン電圧が印加される。
検出部１０は、負荷２００が駆動しない程度の微小電流で動作する回路で構成されており、検出部１０が回路３００に挿入されることで、回路３００が電気的に切断される。
【００２７】
図３は、コントローラ３０の機能ブロック図である。コントローラ３０には、後述する多彩な通電制御を実行するメインコントロール部３１、ＳＳＲ２０Ａ，２０Ｂを制御する制御信号を出力する制御信号出力部３２、検出部１０や、震度センサ、温度センサ、湿度センサ、人感センサ等のセンサ類およびモーメンタリースイッチなどのスイッチ類を含むセンサ・スイッチ類７０からの信号が入力される入力部３３、ＬＥＤやスピーカなどの出力装置８０へ信号を出力する出力部３４、無線通信機能を有する通信部３５、各種のデータやプログラムを保持するメモリ３６を有する。コントローラ３０のこれらの機能は後述する図４に示すような電気回路で構成可能であり、また、ＣＰＵ，メモリ等のハードウエアおよび所要のソフトウエアで構成することも可能である。
そして、コントローラ３０は、入力部３３、通信部３５等を通じて入力される信号を利用して、あらかじめ用意された通電制御機能を起動し、負荷２００の通電制御を実行する。あらかじめ用意された通電制御機能は、これらに限定されるわけではないが、スイッチ操作等に応じて供給電力を調整するパワーコントロール、設定時間に応じて負荷２００をオン・オフするタイムコントロール、スイッチをオフしてから一定時間遅れて負荷００を停止させる遅れ停止コントロール、負荷２００を周期的に駆動する周期動作コントロール、リモコンやスマフォなどとの間で通信に応じて通電制御をする通信コントロール、ユーザが設定したプログラムにしたがって通電制御するユーザプログラムコントロールなどが挙げられる。要するに、負荷２００の通電制御に必要な機能を予めコントローラ３０に用意しておき、これらの機能を入力部３３、通信部３５等を通じて入力される信号に応じて起動すれば、スイッチのオン・オフ制御では不可能な多彩な負荷２００の通電制御が実現できる。
また、コントローラ３０は、操作性や視認性等のために、スピーカ等の音声出力装置やＬＥＤ等の表示装置を必要に応じて起動できる。
【００２８】
ここで、本実施形態の第１の重要なメリットとして、コントローラ３０は、スイッチＳＷ３Ａ，ＳＷ３Ｂ，ＳＷ４の操作を検出する検出部１０の検出信号を利用して負荷２００の通電制御が可能ということである。スイッチＳＷ３Ａ，ＳＷ３Ｂ，ＳＷ４は、検出部１０が回路３００に挿入されている。このため、スイッチＳＷ３Ａ，ＳＷ３Ｂ，ＳＷ４の操作では負荷２００の通電制御を直接には実行できないが、スイッチＳＷ３Ａ，ＳＷ３Ｂ，ＳＷ４の操作信号を検出部１０で検出しこれをコントローラ３０に利用することで、スイッチＳＷ３Ａ，ＳＷ３Ｂ，ＳＷ４の各々を使用してコントローラ３０の各種機能を起動できる。このことは、スイッチＳＷ３Ａ，ＳＷ３Ｂ，ＳＷ４が単に回線３００を開閉するスイッチとしてではなく、タイマ機能付きスイッチのような高機能のスイッチとして機能することを意味する。仮に、スイッチＳＷ３Ａ，ＳＷ３Ｂ，ＳＷ４が既存の通電設備の一部であれば、新たなスイッチを設けることなく既存のスイッチをそのまま利用してスイッチの高機能化が可能となる。
本実施形態の第２の重要なメリットとして、コントローラ装置１の既存の通電設備への接続が非常に容易であることが挙げられる。図１に示したように、３路スイッチ３Ａの端子１，３にＳＳＲ２０Ａ，２０Ｂの一端を接続し、端子０に検出部１０の一端を接続し、端子０に本来接続される配線を、ＳＳＲ２０Ａ，２０Ｂおよび検出部１０の他端に接続し直すだけでよい。すなわち、工事コストを最小化できる。
なお、言うまでもないが、コントロール装置１は、既存の通電設備にのみ適用されるわけではなく、新たに施工される通電設備とともに使用可能である。
コントロール装置１を３路スイッチＳＷ３Ａとともに一体化したスイッチ装置として、通電設備に適用することも可能である。たとえば、既存の３路スイッチＳＷ３Ａに代えて、このスイッチ装置を既存の通電設備に適用すれば、上記したような顕著なメリットが同様に得られる。
【００２９】
図４は、コントローラ３０の構成の一例である。
図４において、Ｘ１は、０Ｖと回路電圧間の電位変化を検出する。Ｘ２は単極単投スイッチ（後述する第１５及び１６実施形態の場合Ｘ２をオフにする）、Ｘ３は０Ｖとリレーによる飽和電圧（電磁リレー接点の場合や低い場合は昇圧する）間の電位変化を検出する。Ｘ４はＸ５のタイマを手動で起動するスイッチ、Ｘ５はタイマであり、左が入力で右が出力、上の○が０Ｖでのリセット入力である。Ｘ６は、Ｘ５４が連続の操作スイッチによりシフトされて、タイマ時間を長くする場合、最初のタイマ時間終了信号によりタイマを再起動してタイマ時間を長くする。Ｘ７は、動作音の発生回路であり、接続されているスイッチの設定により動作を決める。Ｘ８は、タイムスイッチであり、接続されているスイッチの設定により、有効・無効を決める。Ｘ９は、パワーコントローラ。接続されているスイッチの設定により、有効・無効を決める。仮に１０ｍｓｅｃオフで９０ｍｓｅｃオンを繰り返せば負荷への電力を１０％減らせる。Ｘ１０は、周期動作。接続されているスイッチの設定により、有効・無効を決める。例えば連続のスイッチ操作により、連続動作機能（この回路図では３回でその機能を選択）を選んだ場合。１時間に５分間だけの動作を繰り返すような動作を指す。Ｘ１１は、震度センサであり、地震の検知によりＸ１２の照明を点灯すると共に、負荷への出力も遮断する。Ｘ１２は震度センサの検知で照明を点灯するＬＥＤである。Ｘ１３は、コントローラ１の制御出力、リレーへの制御信号を集める。Ｘ１４は、Ｘ１３で集めた信号に対して、震度センサや外部からの停止信号であり、リレーへの制御信号を消す。Ｘ１５は、コントローラ３０の出力である。リレーへの制御信号と、入力２の回路を有効にする。Ｘ１６は、負荷が動作中のスイッチ操作の状態を表示するＬＥＤである。Ｘ１７は、負荷が動作中に点灯するＬＥＤである。Ｘ１８〜Ｘ２０は、Ｘ５４の出力の１−３に夫々接続し、機能選択の状態を表示するＬＥＤである。Ｘ２１は、外部信号により、Ｘ２４で選んだ機能を出力する。Ｘ２２は、Ｘ２４で選んだ機能を出力するか決めるスイッチである。仮に、Ｘ２２で周期動作を選んだ場合、常に周期動作をしていながら、コントローラ３０の通常動作も可能である。Ｘ２３は、Ｘ２４で選んだ機能を纏める。Ｘ２４は、各種の信号から出力したいものを選ぶ。Ｘ２５は、外部信号受信ユニットである。Ｘ２６は、外部信号、送受信制御信号である。Ｘ２７は、コントローラ３０の動作状態の送信ユニットである。Ｘ２８は、Ｘ２７を無線出力（この場合は光）する。Ｘ２９は、外部信号を有線で受信する。
【００３０】
Ｘ３０は、Ｘ２８の有線のタイプである。Ｘ３１は、Ｘ２９の無線のタイプである。Ｘ３２は、スイッチの連続操作により機能を選べるが、それと同じ機能のスイッチである。Ｘ３３は、コントローラ３０の電源。この場合は電池式であるが、電源と負荷の回路より吸収して電源とすれば電池不要となる。その吸収回路としてはトランスの一次巻線を接続して、二次側から電源を取る方法や、ブリッジダイオードを挿入して電源回路を組む方法等が考えられる。Ｘ３４は、コントローラ３０の手動でのリセット入力。Ｘ３５は、スイッチの連続操作４回めでの機能を選択するスイッチ。Ｘ３６は、負荷の遅れ停止を選択した場合のＤｅｌａｙ回路であり、接続されているスイッチの設定により、有効・無効を決める。Ｘ３７は、本コントローラ出力オン時とオフ時の、一瞬の検出部からの余計な信号をカットする。Ｘ３８は、操作スイッチにモーメンタリタイプのスイッチを使用した場合、長押しではリセットと判定する。本発明の操作性を上げる場合、このゲートにその判定したリセット信号入れる。Ｘ３９は、Ｘ４０でスイッチ操作の間隔をチェックし、間隔が空いた場合はリセット信号としているが、その際にＸ５４の動作が初期状態では、その信号はリセットとしない為のゲートである。Ｘ４０は、スイッチ操作の間隔をチェックし、一定時間内の操作は機能選択信号とし、それ以外はリセット信号とする。Ｘ４１は、Ｘ６の信号を反転してタイマの再起動信号にする。Ｘ４２は、Ｄｅｌａｙ回路であり、タイミング調整の為である。Ｘ４３は、検出回路からの入力信号を調整するゲートである。Ｘ４４は、他のコントローラとの交信により、例えば３路回路的な動作にする場合、コントローラ３０への入力信号を消すことがあり、そのための判定回路である。Ｘ４５は、各種入力信号を纏める。Ｘ４６は、Ｘ３８で長押しではない場合に、この入力を使う。Ｘ４７は、検出部１０を複数設ける場合の入力である。Ｘ４８は、Ｄｅｌａｙ回路、タイミング調整の為にある。Ｘ４９は、スイッチの連続操作３回目の時の機能を選択する。Ｘ５０は、本コントローラの出力を纏めるゲート。ＣＲの積分回路はタイマ再起動の際のハザードを消す為のもの。Ｘ５１は、スイッチの連続操作３回目でタイマ動作をリセットする。Ｘ５２は、外部へのコントローラ３０の状態を出力する為の、各種状態を纏めた信号を生成する。Ｘ５３は、スイッチの連続操作３回目の際の本コントローラの出力を連続にする回路である。Ｘ５４は、スイッチの連続操作回数をカウントする。Ｘ５５は、スイッチの操作音を生成し、接続されているスイッチの設定により、有効・無効を決める。Ｘ５６は、スイッチの操作音用のスピーカである。Ｘ５７は、震度センサのリセットスイッチである。Ｘ５８は、各種の信号をこのブロックとして表現している。Ｘ５９は、継電器であり、上の2本が入力で、下の2本が出力である。Ｘ６０は、追加の負荷用コンセントプラグである。Ｘ６１は、追加の電源供給用のコンセントプラグである。Ｘ６２は、追加の負荷を震度センサで検知した際に、電源供給するコンセントプラグと、負荷２００と同じ電源供給のコンセントプラグとを選択的に切り替えるための切替スイッチである。
【００３１】
図４に示した回路は、第１の実施形態のコントローラ３０として使用されるとともに、形態に応じた一部の改変はあるが、後述する各実施形態のコントローラとして基本的に使用される
【００３２】
図５は、第２の実施形態の構成図である。なお、第１の実施形態と同一の構成部分については同様の符号を使用している。
コントロール装置１Ａが適用された回路３００には、単極単投スイッチＳＷ２（以下、スイッチＳＷ２）が接続されているとともに、このスイッチＳＷ２に検出部１０が直列に挿入されている。スイッチＳＷ２の左側の端子には、回路３００の第１の配線３０２ａおよびＳＳＲ２０の一端が接続され、スイッチＳＷ２の他方の端子には、検出部１０の一端が接続され、ＳＳＲ２０の他端および検出部１０の他端は、回路の第２の配線３０２ｂに接続されている。
回路３００は、検出部１０が挿入された経路は電気的に切断されている一方で、ＳＳＲ２０がＳＷ２および検出部１０を迂回するように回路３００に接続されて回路３００の一部を形成している。スイッチＳＷ２は、直接には負荷２００の通電制御をできないが、スイッチＳＷ２の操作は、検出部１０により検出され、コントローラ３０は、検出部１０の検出信号等に応じて予め用意された通電制御機能を実行する。すなわち、スイッチＳＷ２の操作により、高機能な通電制御が可能となる。また、第１の実施形態と同様に、スイッチＳＷ２を含む回路３００へのコントロール装置１Ａの接続は非常に用意であり、既存の通電設備をそのまま利用できる。コントロール装置１Ａは、既存の通電設備にのみ適用されるわけではなく、新たに施工される通電設備とともに使用可能である。コントロール装置１ＡをスイッチＳＷ２とともに一体化したスイッチ装置として、通電設備に適用することも可能である。
【００３３】
図６は、第３の実施形態の構成図である。なお、第２の実施形態と同一の構成部分については同様の符号を使用している。
本実施形態において、第２の実施形態と異なる点は、ＳＳＲ２０は、検出部１０を迂回しているがスイッチＳＷ２を迂回せずに回路３００に接続されている点である。
本実施形態によれば、スイッチＳＷ２は負荷２００への通電を直接的にオフすることができるとともに、スイッチＳＷ２のオンが検出されると、コントローラ３０による負荷２００の高機能通電制御が実行される。
【００３４】
図７は、第４の実施形態の構成図である。なお、上記各実施形態と同一の構成部分については同様の符号を使用している。
図７において、検出部１０は、スイッチＳＷ２に並列に接続されている。ＳＳＲ２０は、スイッチＳＷ２がオンした状態においては、スイッチＳＷ２を利用した電気的結果に置いて検出部１０を迂回するように接続されている。検出部１０は、上述したように、負荷２００が駆動しない程度の微小電流で動作する回路で構成されている。ＳＳＲ２０がオフ（負荷２００がオフ）の状態にあるときに、微小電流が流れる通路がなくなるのを防ぐために、抵抗５０はが検出部１０に直列に接続されている。
本実施形態によれば、スイッチＳＷ２は負荷２００への通電を直接的にオフすることができるとともに、スイッチＳＷ２のオンが検出されると、負荷２００のコントローラ３０による負荷２００の高機能通電制御が実行される。たとえば、スイッチＳＷ２がオンされてからの時間が所定時間経過すると、ＳＳＲ２０をオフして負荷２００への通電をする、人感センサ等を利用して人間が検出されない状態となってから所定時間経過すると、ＳＳＲ２０をオフして負荷２００への通電をする等の通電制御が可能である。本発明は、これらに限定されるわけではない。
なお、本実施形態のコントロール装置１Ｃは、検出部１０は回路３００を電気的に切断しておらず、また、ＳＳＲ２０はスイッチおよび検出部１０を迂回していないタイプである。
【００３５】
図８は、第５の実施形態の構成図である。なお、上記各実施形態と同一の構成部分については同様の符号を使用している。スイッチＳＷ２は、回路３００に接続されたスイッチＳＷ２がオフ状態にあるときには、回路３００は電気的に切断される。ＳＳＲ２０は、スイッチＳＷ２を迂回するように、スイッチＳＷ２に並列接続されている。
本実施形態では、スイッチＳＷ２により負荷２００への通電を直接的にオン・オフできるが、スイッチＳＷ２がオフされた状態で、コントローラ３０による負荷２００の高機能通電制御が実行される。
【００３６】
図９は、第６の実施形態の構成図である。本実施形態と、第１の実施形態で異なる点は、ＳＳＲ２０は検出部１０のみ迂回するように回路３００に接続されて、ＳＷ３Ａは迂回していない点である。
本実施形態では、スイッチＳＷ３Ａ，ＳＷ３Ｂ，ＳＷ４の組み合わせにより回路３００を電気的に切断することができるとともに、スイッチＳＷ３Ａ，ＳＷ３Ｂ，ＳＷ４の組み合わせにより回路３００の導通が確保されているときには、コントローラ３０による負荷２００の高機能通電制御が実行される。
【００３７】
図１０は、第７の実施形態の構成図である。
本実施形態においては、検出部１０は０Ｖと高電圧の間での電位変化を検出して、回路３００が導通か非導通かだけを検出する。３路スイッチＳＷ３Ａ，ＳＷ３Ｂ、４路スイッチＳＷ４により回路３００が導通した時には、たとえば、ＳＳＲ２０により負荷２００のタイムコントロール、一定時間動作等の制御機能を実行し、その後自動で周期動作やセンサ動作に移行させてもよい。
また、３路スイッチＳＷ３Ａ，ＳＷ３Ｂ、４路スイッチＳＷ４により回路３００が非導通になったときには、コントローラ３０はリセットをして初期状態に戻し、待機させることもできる。
なお、本実施形態のコントロール装置１ＦのＳＳＲ２０は、回路３００に挿入されているだけで、スイッチや検出部を迂回せずに回路３００をコントロールしている。
【００３８】
図１１は、第８の実施形態の構成図である。
本実施形態では、２つのＳＳＲ２０とコントローラ３０との間に、２極双頭スイッチ６０を設け、レバー操作等により、２極双頭スイッチ６０を上側に接続した状態では、スイッチＳＷ３Ａ，ＳＷ３Ｂ，ＳＷ４で負荷２００を直接的に通電制御する通常モードとなり、２極双頭スイッチ６０を下側に接続した状態では、２つのＳＳＲ２０を使用してコントローラ３０による負荷２００の高機能通電制御が実行される。
【００３９】
図１２は、第９の実施形態の構成図である。
一方のコントロール装置１Ｈ−１のＳＳＲ２０は、３路回路の２本の配線間が４路スイッチＳＷ４により電気的に切断されたときに、この切断を迂回して２本の配線間を接続するように設けられる。本実施形態では、３つのＳＳＲ２０を使用してコントローラ３０による負荷２００の高機能通電制御が実行される。
【００４０】
図１３は、第１０の実施形態の構成図である。
図１３に示すように、３路回路の２本の配線間が４路スイッチＳＷ４により電気的に切断されたときに、この切断を迂回して２本の配線間を接続するようにＳＳＲ２０を設けることにより、スイッチＳＷ３Ａ，ＳＷ３Ｂ，ＳＷ４で負荷２００を直接的に通電制御するモードと、スイッチＳＷ３Ａ，ＳＷ３Ｂ，ＳＷ４で負荷２００を直接的に通電制御するモードを実現できる。
【００４１】
図１４は、第１１の実施形態の構成図である。
本実施形態では、３路回路に単一の３路スイッチＳＷ３Ｂを使用し、代わりに、３路スイッチＳＷ３Ａが挿入されるべき場所に２つのＳＳＲ２０および検出部１０を設けている。このような構成においても、第１の実施形態と同様の機能を実現できる。
【００４２】
図１５は、第１２の実施形態の構成図である。
本実施形態では、２つのコントロール装置１Ｌ−１，１Ｌ−２の一方のコントロール装置１Ｌ−２にのみ検出部１０を設け、スイッチＳＷ２および単極三投スイッチＳＷ５の操作による電気的変化更には第１および第２のＳＳＲ２０Ａ，２０Ｂの動作状態の検出が可能である。２つのコントロール装置１Ｌ−１，１Ｌ−２の間では各種情報を有線又は無線で授受可能になっており、検出部１０の検出情報も２つの装置で共有する。
第１および第２のＳＳＲ２０Ａ，２０Ｂは、電源１００から負荷２００へ電力を供給する回路にＳＷ２の迂回部として互いに並列に接続されている。
第１および第２のＳＳＲ２０Ａ，２０Ｂをそれぞれ制御する第１および第２のコントローラ３０Ａ，３０Ｂは、負荷２００への通電が制御されるように協働する。たとえば、コントロール装置１Ｌ−１，１Ｌ−２にモーメンタリースイッチを設け、このスイッチの信号と検出部１０の検出信号を利用或はコントロール装置１Ｌ−１，１Ｌ−２間で各種情報を有線又は無線で授受し利用することで、３路スイッチおよび４路スイッチを用いた回路と同様の通電制御が可能になる。加えて、タイマ動作や周期動作等の高機能通電制御が可能となる。たとえば、一方のコントロール装置の操作時に、検出部１０或はコントロール装置１Ｌ−１，１Ｌ−２間で各種情報を有線又は無線で授受し、他方のＳＳＲ２０のオン状態を検出した場合には、当該オンしているＳＳＲ２０をオフすることが可能になる。また、人感センサ等のセンサを併用することで、より高度な通電制御が可能になる。
スイッチＳＷ５は、上側の位置でこの回路を有効にし、中間位置で全てオフし、下側位置で、負荷をオンする。つまり、使用者は下側位置と中間位置とを使って負荷をオン・オフできるとともに、中間位置と上側位置で、この回路を有効にするか、全くオフとするかの使い方ができる。
本実施形態では、コントロール装置１Ｌ−２の検出部１０は、回路３００と負荷２００に対しては電気的切断の意味は持たないが、検出部１０自体は挿入する線路に対しての電気的切断を利用しており、ＳＳＲ２０は前記検出部１０の迂回もしている。検出部１０は、スイッチＳＷ２やＳＷ５の操作状態を検出可能であるとともに、２つのＳＳＲ２０の電気的状態を検出できる。しかし、スイッチＳＷ２やＳＷ５の操作状態を検出不要であれば、検出部１０はコントロール装置１Ｌ−１，１Ｌ−２間での各種情報を有線又は無線で授受する事により不要となる。
検出部１０は、一方のコントロール装置１Ｌ−１に内蔵したが、検出部１０を独立で接続してもよいし、他方のコントロール装置１Ｌ−２に内蔵することも可能である。
また、２つのＳＳＲ２０とコントローラ３０を用いた場合を例に挙げたが、３個以上を並列に接続してもよく、２個に限定されない又、その際の設置に置いて、通常の３路スイッチ或は４路スイッチ使用時のの配線や電気的な設置位置も気にすることなく自由に設置が可能である。
【００４３】
図１６は、第１３の実施形態の構成図である。
本実施形態は、図１５に示した第１２の実施形態のコンセプトを３路スイッチ回線に適用したものである。２つの３路スイッチを使用してもよいが、円Ｃ１内に示すように、３路スイッチを省略することも可能である。この図の状態では、ＳＷ３は３路スイッチの機能ではなく、オンオフスイッチと成っているが、ＳＷ３が負荷２００に対してオフの時はコントロール装置１Ｍ−１、１Ｍ−２によるコントロールが可能となり、図１５のような動作が可能である。又、Ｃ１が３路スイッチであればＳＷ３と共に通常の３路回路としての使用が可能で、３路スイッチで負荷２００への回路が道通してない時はコントロール装置１Ｍ−１，１Ｍ−２による図１５のような動作が可能である。また、ＳＳＲ２０の数量に付いても図１５と同様である。
【００４４】
図１７〜図１９は、第１３〜第１５の実施形態の構成図である。これらの構成は、第１の実施形態とは異なるが、第１の実施形態と同様の機能を実現できる。なお、図１７においては、２つの検出部１０からの信号が共通のコントローラ３０に入力されている。コントローラ３０に、２つの検出部１０の入力部を設け、たとえば、これらの検出回路の出力のオアやアンドをとって検出信号として使用することができる。
【００４５】
図２０は、本発明のアダプタの一実施形態を示す構成図である。
アダプタ５００は、上記した、検出部１０、ＳＳＲ２０およびコントローラ３０を備えるとともに、ワンショットスイッチ５１０、負荷側コネクタ５２０、ソケット側コネクタ５３０を備えている。
検出部１０、ＳＳＲ２０およびコントローラ３０の電気的接続関係は、図６に示したコントローラ装置１Ｂと同じである。
照明装置等の負荷２００は、負荷側コネクタ５２０に着脱自在となっているとともに、負荷側コネクタ５２０に装着されることにより回路３００に電気的に接続される。
ソケット側コネクタ５３０は、回路３００に接続されたソケット３１０に着脱自在になっているとともに、ソケット側コネクタ５３０がソケット３１０に装着されることにより回路３００に電気的に接続される。
ソケット３１０は、アダプタ５００を介さずに負荷２００を着脱可能に形成され、ソケット３１０に負荷２００が装着されると、負荷２００が回路３００に電気的に接続される。
ワンショットスイッチ５１０の信号は、コントローラ３０の通電制御に利用できる。ワンショットスイッチ５１０の発生信号をどのように利用するかを任意に設定できる。
本実施形態によれば、配線工事をすることなく、アダプタ５００を介して負荷２００を回路３００に容易に接続できるとともに、負荷２００の多彩な通電制御が可能になる。
なお、本実施形態のアダプタ装置５００は、図６に示したコントローラ装置１Ｂを内蔵するものとしたが、これに限定されるわけではなく、３路回路を含めて他の実施形態の機能を内蔵することは当然可能である。
【００４６】
図２０Ｂは、図２０のアダプタの変形例を示す構成図である。
図２０Ｂに示すアダプタ装置５００Ａのコネクタ５２０は、負荷２００に電気的に接続されたプラグ２１０が着脱自在になっており、ソケット側コネクタ５３０に設けられたプラグは、延長ケーブル１５０のコネクタ１５１に着脱自在となっている。延長ケーブル１５０のプラグ１５２は、壁等に設けられた電源レセプタクルに対して抜き差しされる。この構成によれば、たとえば、換気扇等の既存の負荷に工事無しで本実施形態のアダプタ装置５００Ａを適用できる。
代替的には、アダプタ装置５００Ａは、５３０を除き、更に１５１も除き、１５０と１５２と一体化しても良い。
【００４７】
図２１は、本発明のソケットの一実施形態を示す構成図である。図２０に示した実施形態と同一構成部分は同様の符号を使用している。
本実施形態のソケット装置６００は、図６に示したコントローラ装置１Ｂを内蔵しており、ソケット３１０は負荷２００を着脱自在に形成されているとともに、負荷２００を回路３００に電気的に接続可能となっている。
本実施形態によれば、予め回路３００にソケット装置６００を適用しておけば、配線工事をすることなく、負荷２００の多彩な通電制御が可能になる。
加えて、ソケット装置６００の回路３００への接続箇所は２点のみであり、作業は非常に容易である。
なお、本実施形態のソケット装置５００は、図６に示したコントローラ装置１Ｂを内蔵するものとしたが、これに限定されるわけではなく、３路回路を含めて他の実施形態の機能を内蔵することは当然可能である。
【００４８】
図２２は、図２１のソケット装置６００の変形例である。図２１に示した実施形態と同一構成部分は同様の符号を使用している。
本実施形態のソケット装置６００Ａは、図６に示したコントローラ装置１Ｂを内蔵しており、電源へ接続するための接続プラグ３２０をさらに備えている。ソケット３１０に負荷２００を装着するとともに、接続プラグ３２０を図示しないコンセントに差し込むことで、負荷２００の多彩な通電制御が可能になる。本実施形態では設備工事は不要である。
【００４９】
図２３および図２３Ｂは，図２０のアダプタ装置５００の変形例である。図２３および図２３Ｂは、回路３００に対する配線工事が一部必要であるが、一箇所の接続のみであり、設備工事が必要であるが最小限の設備工事で負荷２００の多彩な通電制御が可能になる。尚、回路３００への配線は、スイッチＳＷ２に予備の結線穴があればそこで結線すれば良い。又、コントローラ３０には通信機能があり、５１０のスイッチを使わなくとも無線での操作、リモコン操作も可能である。
【００５０】
図２４は、本発明の負荷装置の一実施形態を示す構成図である。図２４において、上記各実施形態と同一構成部分については同一の符号を使用している。図２４に示す負荷装置７００は、ＬＥＤ２５０を備えるＬＥＤ照明装置である。検出部１０の一端を既存の回路３００に接続工事するとともにＬＥＤ照明装置を天井等に設けられた既存通電設備に装着することで、最小限の設備工事で、ＬＥＤ照明装置の多彩な通電制御が可能となる。
これは蛍光管の交換作業のように、本発明を内蔵した照明とする事ができる。負荷装置７００は蛍光管と捕らえても良い。この例ではＬＥＤを使用している。負荷装置７００の左右の２本の配線は、その蛍光灯のソケットの電極である。又、コントローラ３０には通信機能があり、５１０のスイッチを使わなくとも無線での操作、リモコン操作も可能である。
【００５１】
図２４Ｂは、図２４の負荷装置の変形例である。図２４Ｂ一実施形態を示す構成図である。図２４Ｂに示す負荷装置７００Ａは、ＬＥＤ照明装置であり、
ＬＥＤ照明装置を天井等に設けられた既存通電設備に装着することで、設備工事なしで、ＬＥＤ照明装置の多彩な通電制御が可能となる。
【００５２】
図２５は、上記した各種コントロール装置又はスイッチ装置に設ける操作パネルの例を示す図である。
これらの例に限定されることはないが、実施例１、２に示すように、たとえば、複数のＬＥＤ１〜５からなる表示器８０１を設けて、実行されている通電制御に応じたＬＥＤを点灯させることができる。ＬＥＤ１〜５に代えて点灯タイプのスイッチとして、表示機能とスイッチ機能をもたせても良い。スイッチは、一定時間内で長押し又は二度押しでリセットも可能にすると利便性が増す。スイッチの構造はモーメンタリ、オルタネート、マルチ・ファンクション、プッシュプル等、機能に合わせて任意に選択できる。
回路３００に接続される３路スイッチ又は単極単投スイッチ８０３をパネルに設けることも可能である。
リセットスイッチ８０４を設けて、回路３００のリセット又は一部の機能のリセットができるようにしてもよい。
通電制御機能を選択する機能選択スイッチ８０８を設けることもでき、選択された機能を起動させるスイッチ８０７を設けることもできる。
センサ窓、外部信号受信窓又はブザー用の窓８０６を設けても良い。外部信号受付としては、パネル表面でなく表面から隠れる部分でも良い。又、必要に応じて設けるものである。
動作状態や起動された機能を表示する液晶パネル等の表示装置８０３を設けても良い。
その他、周期動作やパワーコントロール動作の周期やデューティを調整する又は、センサ動作等の感度調整や一定時間の調整をするボリューム的な操作が出来る機能を設けることもできるし、発色の違いで動作状態の表示をする動作表示ランプを設けることもできる。
また、外部入力（無線又は有線）、設置位置はパネルの表面とは限らない。
交信用入出力（無線又は有線）、設置位置はパネルの表面とは限らない
【００５３】
以上の説明したように、本発明の各種実施形態によれば、遅れ停止とは違い、消し忘れによる問題を解決することができる。これは特に不特定多数が使用する場所に効果的である。
本発明によれば、押しボタンスイッチでの一定時間動作では不可能な、遅れ停止が必要な使い方への対応が可能となる。
本発明の装置は、様々な環境に使え、３路スイッチや４路スイッチだけでなく単極単投スイッチへの使用でさえ、スイッチをどちらに倒しても一定時間動作も可能であり、更に、連続のスイッチ操作に応じてセンサによる動作や連続動作にする事も可能であり、その際の一定時間経過後のスイッチ連続操作或は継電器が動作中のスイッチ操作等の条件の付加ではリセットとする等の使い方も可能となる。
３路（や４路）使用の回路においても、スイッチ以外への配線の追加や引き回しも必要無い為、特に既存の設備では導入し易い。
スイッチ一箇所への工事又は本発明を内蔵したスイッチの交換だけで済む。
追加のスイッチは無しの場合でも、スイッチの操作回数だけで多彩な機能を選択出来る。
人感センサ使用の製品では、一定時間動作だけで、周期動作等の多彩な機能に対応は出来ず、また、スイッチ全てへの設置が必要であり、センサの感度範囲での使用に制約される。これに対して、本発明では周期動作や照度センサ、湿度センサ等の各種の機能も盛り込め、更にはそれらの複合動作も実現容易であり、又、単一のスイッチのみへのコントロール装置の設置ですむ。
上記実施形態においては、３路回路において、単一の４路スイッチを使用したが、これに限定されるわけではなく、４路スイッチを使用しなくてもよく、複数の４路スイッチを使用することもできる。
【符号の説明】
【００５４】
１  コントロール装置
１０  検出部
２０  ＳＳＲ
３０  コントローラ
１００  電源
２００  負荷
３００  回路
５００  アダプタ装置
６００  ソケット装置
７００  負荷装置
【要約】
負荷へ電力供給する回路に対する変更は不要でありながら、単なるスイッチの開閉だけでは実現不可能な負荷の多彩な通電制御を実現するために、回路（３００）に接続されたスイッチ（ＳＷ３Ａ，ＳＷ３Ｂ，ＳＷ４）の操作によって変化する回路（３００）の電気的変化を検出する、検出部（１０）を有し、検出部（１０）は、回路（３００）を電気的に切断するように当該回路（３００）に挿入され、３路スイッチ（ＳＷ３Ａ）および検出部（１０）を迂回するように回路（３００）に接続されて当該回路（３００）の一部を形成するＳＳＲ（２０）と、負荷（２００）への通電が制御されるように、検出部（１０）の検出信号を利用して継電器を操作する制御信号を生成するコントローラ（３０）とを有するようにしたものである。【図１】
0005876613.tif 000002
【図２】
0005876613.tif 000003
【図３】
0005876613.tif 000004
【図４】
0005876613.tif 000005
【図５】
0005876613.tif 000006
【図６】
0005876613.tif 000007
【図７】
0005876613.tif 000008
【図８】
0005876613.tif 000009
【図９】
0005876613.tif 000010
【図１０】
0005876613.tif 000011
【図１１】
0005876613.tif 000012
【図１２】
0005876613.tif 000013
【図１３】
0005876613.tif 000014
【図１４】
0005876613.tif 000015
【図１５】
0005876613.tif 000016
【図１６】
0005876613.tif 000017
【図１７】
0005876613.tif 000018
【図１８】
0005876613.tif 000019
【図１９】
0005876613.tif 000020
【図２０】
0005876613.tif 000021
【図２０Ｂ】
0005876613.tif 000022
【図２１】
0005876613.tif 000023
【図２２】
0005876613.tif 000024
【図２３】
0005876613.tif 000025
【図２３Ｂ】
0005876613.tif 000026
【図２４】
0005876613.tif 000027
【図２４Ｂ】
0005876613.tif 000028
【図２５】
0005876613.tif 000029